(57)【要約】【課題】角部での収容物の移動を抑制し、安定した状態で輸送および／または保管をすることのできる仕切り一体型トレーを提供する。【解決手段】矩形状の底板と、前記底板から立ち上がって対向する一組の第１の側面と前記底板から立ち上がって対向する一組の第２の側面と、を有し、物品を収容するトレーであって、前記底板から起立し、前記収容された物品と接触する仕切り片と、前記底板に立設され、かつ前記第１の側面に連結されて前記トレーの内側に向かって突出し、前記収容された物品と接触する第１の支持片と、隣り合う前記第１の側面と前記第２の側面とが交差する稜を覆うように、前記トレーの内側に設けられて前記収容された物品と接触する第２の支持片とを含むトレーおよびそのブランクの提供。【選択図】図１
2020203696.tif 000002
【特許請求の範囲】
【請求項１】
矩形状の底板と、
前記底板から立ち上がって対向する一組の第１の側面と、
前記底板から立ち上がって対向する一組の第２の側面と、
を有し、物品を収容するトレーであって、
前記底板から起立し、前記収容された物品と接触する仕切り片と、
前記底板に立設され、かつ前記第１の側面に連結されて前記トレーの内側に向かって突出し、前記収容された物品と接触する第１の支持片と、
隣り合う前記第１の側面と前記第２の側面とが交差する稜を覆うように、前記トレーの内側に設けられて前記収容された物品と接触する第２の支持片と
を含むトレー。
【請求項２】
前記仕切り片は、前記収容された物品の側面と接触する切欠を有することを特徴とする請求項１に記載のトレー。
【請求項３】
前記第１の支持片と前記収容された物品が接触する第１の接触部と、前記第２の支持片と前記収容された物品が接触する第２の接触部とが形成する弧が、前記第１の接触部、前記第２の接触部、および前記仕切り片と前記収容された物品とが接触する第３の接触部とを通って形成される円の円周の１／４以上の長さを有することを特徴とする請求項１または２に記載のトレー。
【請求項４】
前記トレーは一枚のシートから形成されることを特徴とする請求項１〜３のいずれか一項に記載のトレー。
【請求項５】
前記シートは段ボールであることを特徴とする請求項４に記載のトレー。
【請求項６】
矩形状の底板と、
前記底板を挟んで対向し、前記底板に折り曲げ線を介してそれぞれ隣接する一組の第１の面と、
前記底板を挟んで対向し、前記底板に折り曲げ線を介してそれぞれ隣接する一組の第２の面と、
を有するブランクであって、
対向する二組の辺を有する仕切り片となる部分であって、前記対向する辺のうち、一組において、一辺は前記底板に接続し、残りの一辺は前記第２の面と接続し、かつ残りのもう一組は前記底板と前記第１の面との間の折り曲げ線と平行に前記底板に切れ込みを入れることにより形成された仕切り片となる部分と、
対向する二組の辺を有する第１の支持片となる部分であって、前記対向する辺のうち、一組において、一辺は前記底板に接続し、残りの一辺は前記第１の面と接続し、かつ残りのもう一組は前記底板と前記第２の面との間の折り曲げ線と平行に前記底板に切れ込みを入れることにより形成された第１の支持片となる部分と、
前記第１の面の端部に前記底板と前記第２の面との間の折り曲げ線と平行な折り曲げ線を介して接続される第２の支持片となる部分と、
を含むブランク。
【請求項７】
前記仕切り片となる部分は、前記切れ込み部分にさらに切欠を有することを特徴とする請求項６に記載のブランク。
【請求項８】
前記ブランクは段ボールから形成されることを特徴とする請求項６または７に記載のブランク。
【発明の詳細な説明】
【技術分野】
【０００１】
本発明は、仕切り一体型トレーおよびそのブランクに関し、詳細には、輸送や保管中の収容物を固定する仕切り一体型トレーおよびそのブランクに関する。
【背景技術】
【０００２】
円柱または逆円錐台形等の容器に入った物品をトレーに載せて輸送および／または保管をする場合、容器がトレー内を移動し、場合によっては容器や内容物を破損するおそれがある。
【０００３】
そこで、特許文献１では、トレー内に仕切り片を設け、逆円錐台形の収容物の移動を抑制させている。
【０００４】
しかし、特許文献１に記載の仕切り片を用いた場合、それらで挟持した容器は固定されるものの、トレー端部、中でも特に衝撃を受けやすい角部では容器が十分に固定されておらず、収容物の破損のおそれは解消していない。
【先行技術文献】
【特許文献】
【０００５】
【特許文献１】特開２００５−１８７０４１号公報
【発明の概要】
【発明が解決しようとする課題】
【０００６】
そこで、本発明の目的は、上記の問題点を解決し、角部での収容物の移動を抑制し、安定した状態で輸送および／または保管をすることのできる仕切り一体型トレーを提供することである。
【課題を解決するための手段】
【０００７】
本発明の一実施態様は、矩形状の底板と前記底板から立ち上がって対向する一組の第１の側面と前記底板から立ち上がって対向する一組の第２の側面とを有し、物品を収容するトレーであって、前記底板から起立し、前記収容された物品と接触する仕切り片と、前記底板に立設され、かつ前記第１の側面に連結されて前記トレーの内側に向かって突出し、前記収容された物品と接触する第１の支持片と、隣り合う前記第１の側面と前記第２の側面とが交差する稜を覆うように、前記トレーの内側に設けられて前記収容された物品と接触する第２の支持片とを含むことを特徴とするものである。
【０００８】
本発明の一実施態様のトレーにおいて、前記仕切り片は、前記収容された物品の側面と接触する切欠を有することができる。
【０００９】
また、本発明の一実施態様のトレーにおいて、前記第１の支持片と前記収容された物品が接触する第１の接触部と、前記第２の支持片と前記収容された物品が接触する第２の接触部とが形成する弧が、前記第１の接触部、前記第２の接触部、および前記仕切り片と前記収容された物品とが接触する第３の接触部とを通って形成される円の円周の１／４以上の長さを有することができる。
【００１０】
さらに本発明の一実施態様のトレーにおいて、前記トレーは一枚のシートから形成されてもよく、当該シートは段ボールで形成されていてもよい。
【００１１】
本発明の他の実施態様は、矩形状の底板と前記底板を挟んで対向し、前記底板に折り曲げ線を介してそれぞれ隣接する一組の第１の面と前記底板を挟んで対向し、前記底板に折り曲げ線を介してそれぞれ隣接する一組の第２の面とを有するブランクであって、対向する二組の辺を有する仕切り片となる部分であって、前記対向する辺のうち、一組において、一辺は前記底板に接続し、残りの一辺は前記第２の面と接続し、かつ残りのもう一組は前記底板と前記第１の面との間の折り曲げ線と平行に前記底板に切れ込みを入れることにより形成された仕切り片となる部分と、対向する二組の辺を有する第１の支持片となる部分であって、前記対向する辺のうち、一組において、一辺は前記底板に接続し、残りの一辺は前記第１の面と接続し、かつ残りのもう一組は前記底板と前記第２の面との間の折り曲げ線と平行に前記底板に切れ込みを入れることにより形成された第１の支持片となる部分と、前記第１の面の端部に前記底板と前記第２の面との間の折り曲げ線と平行な折り曲げ線により接続される第２の支持片となる部分と、を含むことを特徴とする。
【００１２】
本発明の一実施態様のブランクにおいて、前記仕切り片となる部分は、前記切れ込み部分にさらに切欠を有してもよい。
【００１３】
また、前記ブランクは段ボールから形成されてもよい。
【図面の簡単な説明】
【００１４】
【図１】本発明の一実施例を示すトレーの全体斜視図である。
【図２】図１のトレーの一部を拡大した上面図である。
【図３】図１のトレーの一部を拡大した斜視図である。
【図４】図１のトレーの一部を拡大した底面図である。
【図５】本発明の一実施例を示すブランクの平面図である。
【図６】本発明の他の実施態様のトレーの一部を拡大した上面図である。
【発明を実施するための形態】
【００１５】
本発明によるトレー１００の一実施態様について、図１〜図４を参照にしながら詳細に説明する。本発明の一実施態様において、トレー１００は、矩形状の底板１０と、一組の第１の側面２０と、一組の第２の側面３０とを有し、仕切り片４０と、第１の支持片５０と、第２の支持片６０とを備える。
【００１６】
本発明の一実施態様において、仕切り片４０は、底板１０から起立するように設けられ、第２の側面３０と接続する。本発明のトレー１００は、複数の仕切り片を設けてもよい。
【００１７】
仕切り片４０は、収容物２００と第３の接触部４１で接触する。第３の接触部４１は、仕切り片４０の第１の側面２０に平行な辺に設けられてもよい。本発明の一実施態様において、仕切り片４０は収容物２００と接触する辺に切欠４５を設けてもよい。切欠４５は円弧状であってもよく、また図６で示すように三角形や四角形など、多角形状であってもよい。
【００１８】
第１の支持片５０は、底板１０に立設され、かつ第１の側面２０に連結されてトレー１００の内側に向かって突出し、収容物２００と第１の接触部５１で接触する。第１の支持片５０は、折り曲げ線の一部を包含する開口５５を設けてもよい。
【００１９】
第２の支持片６０は、隣り合う第１の側面２０と第２の側面３０とが交差する稜２５を覆うように、トレー１００の内側に設けられ、収容された物品２００と第２の接触部６１で接触する。本発明の一実施態様において、第２の支持片６０は第１の側面２０の端部に折り曲げ線を介して接続する。後述するように、第１の側面２０は第１の面３２０が内側へと折りたたまれて形成され、その際に第１の面３２０の端部に接続した第２の支持片６０がトレー１００の内側に設けられることとなる。折りたたまれた第１の面３２０は、折りたたまれる際に相対する内面に接着剤を塗布して固定してもよく、また例えば、第１の面３２０の底板と接する部分に係合用突起を設け、底板１０に前記係合用突起を挿入可能な切れ込みを入れ、それらを係合させることで固定し、第１の側面２０を形成してもよい。
【００２０】
上述するように、本発明の一実施態様において、収容物２００は、仕切り片４０と第１の支持片５０と第２の支持片６０と、第１の接触部５１、第２の接触部６１、及び第３の接触部４１にそれぞれ接触し、トレー１００内での横移動が抑制される。本発明の一実施態様において、第１の接触部５１と第２の接触部６１とが形成する弧が、第１の接触部５１と第２の接触部６１と第３の接触部４１とを通って形成される円の円周の１／４以上の長さを有することが好ましい。
【００２１】
また、本発明の一実施態様において、トレー１００は稜２５の両端部に凸部７０および凹部７５を設けてもよい。トレー１００が上下に重ねられた際、凸部７０と凹部７５が係合し、横方向からの力に対して耐久性を向上させることができる。
【００２２】
さらに、本発明の一実施態様において、トレー１００は１枚のシートから形成することができる。シートの材質は切断や折り曲げ等によりトレー１００を形成することができればよく、好ましくは板紙であり、段ボール、クラフト紙などを用いることができる。さらに好ましくは段ボールである。本願発明の一実施態様において、板紙は収容される物品により強度や性質を適宜選択してもよい。例えば、表面に撥水コーティングした段ボールをシートに用いてもよい。また、強化材や厚みを増加させた強化段ボールを用いてもよい。
【００２３】
また本発明の他の実施態様は、トレー１００を形成するブランク３００に関する。本発明のブランク３００について、図５を参照しながら、以下詳細に説明する。
【００２４】
本発明の一実施態様において、ブランク３００は、矩形状の底板３１０と、一組の第１の面３２０と、一組の第２の面３３０とを有し、仕切り片となる部分３４０と、第１の支持片となる部分３５０と、第２の支持片となる部分３６０と、を備える。
【００２５】
第１の面３２０はトレー１００の内側に向けて折りたたまれ、第１の側面２０を形成する面である。一組の第１の面３２０は、底板３１０を挟んで対向し、第１の折り曲げ線３２５を介して底板３１０にそれぞれ隣接する。
【００２６】
第２の面３３０はトレー１００の内側に向けて折りたたまれ、第２の側面３０を形成する面である。一組の第２の面３３０は、底板３１０を挟んで対向し、第２の折り曲げ線３３５を介して底板３１０にそれぞれ隣接する。
【００２７】
仕切り片となる部分３４０は、対向する二組の辺を有し、当該対向する辺のうち、一組において、一辺は底板３１０に接続し、残りの一辺は前記第２の面３３０と接続し、かつ残りのもう一組は底板３１０に第１の折り曲げ線３２５と平行の切れ込みを入れることにより形成される。本発明の一実施態様において、切れ込みにより形成された辺には切欠となる部分３４５を設けてもよい。切欠となる部分３４５は、円弧状であってもよく、三角形や四角形など、多角形状であってもよい。
【００２８】
第１の支持片となる部分３５０は、対向する二組の辺を有し、対向する辺のうち、一組において、一辺は底板３１０に接続し、残りの一辺は第１の面３２０と接続し、かつ残りのもう一組は底板３１０と第２の面３３０との間の第２の折り曲げ線３３５と平行に底板３１０に切れ込みを入れることにより形成することができる。第１の支持片となる部分３５０には、折り曲げ線の一部を含む開口３５５を設けてもよい。このような開口により、ブランクを折り曲げてトレーを形成する際、加工性を向上させることができる。
【００２９】
第２の支持片となる部分３６０は、第１の面３２０の端部に第２の折り曲げ線３３５と平行な折り曲げ線を介して接続される。
【００３０】
本発明の一実施態様において、ブランク３００に対し、折り曲げ加工、および任意選択的に接着加工を行うことにより、トレー１００を提供することができる。折り曲げ加工および接着加工は機械的に行ってもよく、また手作業で行ってもよい。
【００３１】
このように形成されたトレー１００は、円柱や逆円錐台形の形状を有する容器の輸送および／または保管に好ましく、特に、内容物が軟性であるなどの破損しやすい物品の輸送および／または保管に好ましい。例えば、これらに限定されないが、プリンなどの食品類、植物の苗、鉢などに用いることができる。
【００３２】
このように、本発明はその特許請求の範囲に記載された事項のみから解釈されるべきものであり、上述した実施態様においても本発明の概念に包含されるあらゆる変更や修正が記載した事項以外に可能である。つまり、上述した実施態様におけるすべての事項は、本発明を限定するためのものではなく、本発明とは直接的に関係のないあらゆる構成を含め、その用途や目的に応じて任意に変更し得るものである。
【符号の説明】
【００３３】
１０    底板
２０    第１の側面
２５    稜
３０    第２の側面
４０    仕切り片
４１    第３の接触部
４５    切欠
５０    第１の支持片
５１    第１の接触部
５５    開口
６０    第２の支持片
６１    第２の接触部
７０    凸部
７５    凹部
１００  トレー
２００  収容物
３００  ブランク
３１０  底板
３２０  第１の面
３２５  第１の折り曲げ線
３３０  第２の面
３３５  第２の折り曲げ線
３４０  仕切り片となる部分
３４５  切欠となる部分
３５０  第１の支持片となる部分
３５５  開口
３６０  第２の支持片となる部分
３７０  凸部となる部分
３７５  凹部となる切欠
【図１】
2020203696.tif 000003
【図２】
2020203696.tif 000004
【図３】
2020203696.tif 000005
【図４】
2020203696.tif 000006
【図５】
2020203696.tif 000007
【図６】
2020203696.tif 000008